【事件の表示】
　平成　９年特許願第１５８２６３号「図形処理システム」拒絶査定不服審判事件〔平成１１年　１月１２日出願公開、特開平１１−　　７５２６〕について、次のとおり審決する。
【結　論】
　本件審判の請求は、成り立たない。
【理　由】
１．手続きの経緯・本願発明 
　本願は、平成９年６月１６日の出願であって、その請求項１に記載された発明は、平成１５年１月２８日付けの手続補正書によって補正された明細書及び図面の記載からみて、本願の特許請求の範囲の請求項１に記載された次のとおりのものである。（以下、「本願発明」という。） 
　「【請求項１】表示装置上に表示した図形の回転を行う図形処理システムにおいて、操作者から編集対象の図形の回転の中心点とすべき任意の位置の指定を受け付ける手段と、前記指定された位置を中心として、基準図形を表示する第１の基準図形表示手段と、操作者からの回転の指示に応じて、前記基準図形を回転して表示する第２の基準図形表示手段と、操作者からの回転の指示が終了した場合に、前記基準図形の回転角度に応じて前記編集対象の図形を前記基準図形の回転方向とは逆方向に回転して表示する図形表示手段とを備えたことを特徴とする図形処理システム。」
　
２．引用例 
（１）原査定の拒絶の理由に引用された特開平４−１３０９７１号公報（以下、「引用例１」という。）には、 
　ア　「「発明が解決しようとする課題」このような従来の文書編集装置では、マウス等のポインティング・デバイスを操作することで図形の回転を簡易に行うことができる。しかしながら、第２４図および第２５図で示したように、このような装置では画面上で図形をどの程度回転させたかを把握することが困難であった。特に円形に近い図形では回転後の図形にほとんど変化が生じないので、マウス等のポインティング・デバイスを使用して画面上で図形を回転させていると、回転量が把握できないばかりでなく、初期位置にも復帰しにくいといった問題があった。そこで本発明の第１の目的は、図形の回転量を容易に把握することのできる文書編集装置を提供することにある。本発明の第２の目的は、表示画面の１つの領域で図形を表示し回転させたら、同一画面でその領域と同一の図形の処理を行う異なった領域でも同様に図形の回転を行い、これらについて回転量を容易に把握できるようにした文書編集装置を提供することにある。」（２頁右上欄１行〜左下欄１行）、
　イ　「「課題を解決するための手段」請求項１記載の発明では、図形を含んだ文書を電子的に格納する文書格納手段と、ＣＲＴ等から構成される表示画面と、この表示画面に表示される図形の回転中心と回転角度を入力する入力手段と、表示画面に図形の回転中心を表示する回転中心表示手段と、図形の回転前の状態で表示画面に回転中心を含む１または複数本の補助線を描画する補助線描画手段と、回転角度の入力に応じて補助線をその回転角度だけ傾けて表示画面に表示する補助線回転手段とを文書編集装置に具備させる。すなわち請求項１記載の発明では、図形の回転中心を含む１本または複数本の補助線を描画し、この補助線を図形の回転した角度に応じて回転させるようにして前記した第１の目的を達成する。」（２頁左下欄２行〜１６行）、
　ウ　「補助線表示処理部８３は、第１および第２のウィンドウ２２−１、２２−２における図形枠の内部または外部に補助線を表示するような処理を行う部分であり、これらに対応した第１および第２のウィンドウ表示用メモリ８２−１、８２−２における図形の回転中心に十字形の補助線を書き込む処理を行う。すなわち、補助線表示処理は文書データ３３そのものに対して行われるのではなく、文書データ３３を読み出して表示のために展開したデータに対して行われることになる。」（５頁右下欄１行〜１１行）、
　エ　「以上のようにして回転の対象となる図形がハイライト表示されたら、図形の回転中心がマウス１７によって指示される。第１９図は、直線の回転中心がマウスによって指定される直前の状態を表わしたものである。オペレータは、表示画面２１内の第１のウィンドウ２２−１における直線９１の回転中心にカーソル９４を移動させる。第２０図は、直線の回転中心が指定された状態を表わしたものである。マウス１７（第１図）のボタンを離す等の動作で回転中心が確定すると、カーソル９４の先端を中心とする十字線１１１が表示画面２１上に表示される。この十字線１１１は、第２のウィンドウ２２−２の対応する箇所にも同様に表示される。第２１図は、直線の回転を行った状態を表わしたものである。カーソル９４を表示画面２１上で移動させると、第１のウィンドウ２２−１内部では、十字線１１１の中心点（回転中心）１１２から見て移動した角度に相当する角度だけ直線９１が回転中心１１２に対して回転する。これに伴って、十字線１１１も図で矢印１１３で参考的に示したようにこの角度だけ回転する。第２のウィンドウ２２−２の内部においても同様に直線９１と十字線１１１が回転を行う。オペレータは、所望の回転位置でマウス１７のボタンを開放すると、この位置で回転角が確定する。第２２図は、回転のためのマウスの処理を具体的に説明するためのものである。回転中心１１２が指定されたら、この回転中心１１２から離れた任意の点１２１でマウス１７（第１図）のボタンを押下する。そして、この押下状態を保持したままマウス１７を移動させ、所望の回転角になったらボタンを離す。最初に指定した点１２１と回転中心１１２を結んだ直線１２３と、２番目の点１２２と回転中心１１２を結んだ直線１２４とのなす角度αがこの場合の回転角である。」（７頁右上欄９行〜右下欄５行）
が記載されている。 
　これらの記載ア〜エ及び図面図１〜図２３によれば、引用例１には、「図形の回転量を容易に把握することのできることを目的とし、表示画面に表示される図形の回転中心と回転角度を入力する入力手段と、表示画面に図形の回転中心を表示する回転中心表示手段と、図形の回転前の状態で表示画面に回転中心を含む１または複数本の補助線を描画する補助線描画手段と、回転角度の入力に応じて補助線をその回転角度だけ傾けて表示画面に表示する補助線回転手段とを備える」図形処理技術に関する発明（以下、「引用発明１」という。）が記載されている。 
（２）原査定の拒絶の理由に引用された特開平２−２５９８８４号公報（以下、「引用例２」という。）には、 
　ア　「［発明が決しようとする課題］
　上述した従来のイメージ処理システムは、回転角度を数値で指示することとなっているので、微妙な角度を数値的に表現することが難しく、結果的に何回か同じ処理を繰り返さないと満足な回転が得られないことが多く起こるという欠点がある。
〔課題を解決するための手段〕
　本発明のイメージ処理システムは、イメージデータを回転させる回転処理が可能なイメージ処理システムにおいて、画面上の点を指示する指示手段と、指示手段により画面上の二点が指示されると、指示された二点を結ぶ線分と画面上で予め定められた基準方向との角度を算出し、算出した角度を前記回転処理の際の回転角度とする回転角度算出手段とを有する。
［作　　　用］
　二点を結ぶ線分と予め定められた基準方向との角度を回転角度として回転するので、回転処理後、二点を結ぶ線分は、基準方向を向く。」（１頁右下欄１６行〜２頁左上欄１６行）、
　イ　「本実施例のイメージ処理システムｌは、第１図に示すように、イメージリーダ１１と画像メモリ１２と編集手段１３と回転角度算出手段１４と制御手段１５と人力インタフェース１６と人出力インタフェース１７とイメージ表示手段２１とキーボード２２とマウス２３と外部記憶手段２４、２５とから構成されている。イメージリーダ１１は、イメージを読み取るスキャナであり、読み取ったイメージを示すイメージデータを出力する。画像メモリ１２は、イメージリーダ１１が出力したイメージデータを入力インタフェース１６を介して受け取り、受け取ったイメージデータを記憶する。編集手段１３は、画像メモリ１２が記憶しているイメージデータを指示に従って回転させる回転処理をする。回転角度算出手段１４は、画像メモリ１２が記憶しているイメージデータ中の二点が指示されると、指示された二点を結ぶ線分と基準方向とである画面上の垂直方向、すなわち矢印Ｙ方向との角度を三角関数によって算出し、算出した角度を回転角度として編集手段１３に指示する。制御手段１５は、イメージ処理システム１内のデータの授受を制御する。イメージ表示手段２１は、画像メモリ１２が記憶しているイメージデータを画面表示する。キーボード２２およびマウス２３は、操作者の指示を入力する。特に、マウス２３は、イメージデータ中の二点を指示する指示手段として使用される。外部記憶手段２４、２５は、イメージデータを含む、イメージ処理システム１で使用される種種のデータを記憶する。」（２頁右上欄９行〜左下欄１８行）、 
　ウ　「次に、本実施例の処理の作業について説明する。まず、イメージリーダ１１よりイメージを読み取る（ステップ４１）。読み取ったイメージを示すイメージデータを画像メモリ１２上に展開する（ステップ４２）。展開したイメージデータをイメージ表示手段２１で、第３図に示すように、画面表示する（ステップ４３）。マウス２３によって、回転軸として点Ｐ１を指示する（ステップ４４）。また、別の一点として点Ｐ２を指示する（ステップ４５）。回転角度算出手段１４が、点Ｐ１、Ｐ２を結ぶ線分LとＹ方向との角度Aを算出し、算出した角度Ａと点Ｐ１とによって、編集手段１３が回転処理をする（ステップ４６）。回転処理をしたイメージデータを、第４図に示すように、画面表示する（ステップ４７）。以上、第２図に示すように、第７図に示す従来の作業に比べて回転処理を繰り返すことなく１回で満足な回転が得られる。本実施例では、垂直方向を基準方向としたが、水平方向等、ほかの方向を基準方向としてもよい。」（２頁左下欄１９行〜右下欄２０行）が記載されている。
　これらの記載ア〜ウ及び図面第１図〜第７図によれば、引用例２には「イメージ表示手段２１上に表示したイメージの回転処理を行うイメージ処理システムｌにおいて、操作者の指示により、マウス２３によって、回転軸として点Ｐ１を指示し、また、別の一点として点Ｐ２を指示し、回転角度算出手段１４が、点Ｐ１、Ｐ２を結ぶ線分Lと基準方向である垂直方向（Ｙ方向）との角度Aを算出し、算出した角度Ａと回転軸点Ｐ１とによって、編集手段１３が回転処理をし、画面表示するイメージ処理システムｌであって、第３図及び第４図に示された編集手段１３による回転処理は、角度Ａ（「Ｙ方向」から右回りでの角度A）傾いたイメージを「Ｙ方向」に向かって、その角度を０（左回りに角度Ａ回転し、角度０）とする回転処理であり、制御手段１５は、イメージ処理システム１内のデータの授受を制御すること、また、基準方向は、水平方向等、ほかの方向としてもよいことを特徴とするイメージ処理システムｌ」の発明（以下、「引用発明２」という。）が記載されている。
　 
３．対比
　そこで、本件発明と引用発明２とを対比すると、引用発明２の「イメージ表示手段２１」、「イメージ」、「イメージ処理システムｌ」及び「回転軸として点Ｐ１」は、本願発明の「表示装置」、「図形」、「図形処理システム」及び「回転の中心点」に相当し、引用発明２の「編集手段１３と制御手段１５」は、編集手段１３が回転処理をし、制御手段１５がイメージ処理システム１内のデータの授受を制御するのであるから、本願発明の「図形表示手段」に相当する。
　したがって、本願発明と引用発明２は、「表示装置上に表示した図形の回転を行う図形処理システムにおいて、操作者から編集対象の図形の回転の中心点とすべき任意の位置の指定を受け付ける手段と、前記編集対象の図形を回転して表示する図形表示手段とを備えたことを特徴とする図形処理システム。」の点で一致し、以下の点１〜２で相違する。
　相違点１
　本願発明は、「前記指定された位置を中心として、基準図形を表示する第１の基準図形表示手段と、操作者からの回転の指示に応じて、前記基準図形を回転して表示する第２の基準図形表示手段と」を備えるのに対して、引用発明２では、それらの手段が備えられていない点。
　相違点２
　本願発明は、図形表示手段が、「操作者からの回転の指示が終了した場合に、前記基準図形の回転角度に応じて前記編集対象の図形を前記基準図形の回転方向とは逆方向に回転して表示する」構成を備えるのに対して、引用発明２では、その記載がない点。
　 
４．当審の判断
　以下、相違点１〜２について検討する。
　相違点１について
　図形処理技術分野において、基準図形を表示し、操作者からの指示に応じて、基準図形を回転して表示する構成は、周知（例：特開平８−１６８２５号公報、特開平６−２５１１２４号公報、遠藤悦郎著，「Adobe Photoshop AtoZ 　アドビ・フォトショップ日本語版 AtoZ」，初版第１０刷，株式会社ビー・エヌ・エヌ，１９９４年６月３０日，Ｐ．１４９−１５１）である。
　そして、引用発明２と同一技術分野に属している引用発明１において、「回転中心を含む１または複数本の補助線」（十字線１１１）は、回転量を容易に把握する基準となる図形であって、「基準図形」といえ、該「回転中心を含む１または複数本の補助線」は指定された位置（回転中心点１１２）を中心としており、「回転角度の入力」は、「操作者からの回転（角度）の指示」に当たるから、引用発明１には、「補助線描画手段」であるところの「指定された位置を中心として、基準図形を表示する第１の基準図形表示手段」及び「補助線回転手段」であるところの「操作者からの回転の指示に応じて、前記基準図形を回転して表示する第２の基準図形表示手段」が開示されているといえる。
　また、図形処理技術分野おいて、図形の回転量を容易に把握するという課題は、操作者の操作上の必要性からすると、一般的で、普通の技術的課題であるといえる（上記周知事項）から、図形処理技術分野に属する引用発明２には、引用発明１と共通な技術的課題が内在していたといえる。
　してみると、引用発明２に、引用発明１に開示された「指定された位置を中心として、基準図形を表示する第１の基準図形表示手段と、操作者からの回転の指示に応じて、基準図形を回転して表示する第２の基準図形表示手段」とを採用することは、当業者が、容易になし得たことである。
　相違点２について
　図形処理技術分野において、操作者からの基準図形に対する回転の指示が終了した場合に、編集対称図形を回転して表示する構成は、周知（例：特開平８−１６８２５号公報、特開平６−２５１１２４号公報、遠藤悦郎著，「Adobe Photoshop AtoZ 　アドビ・フォトショップ日本語版 AtoZ」，初版第１０刷，株式会社ビー・エヌ・エヌ，１９９４年６月３０日，Ｐ．１４９−１５１）である。
　また、引用例２の第３図は、回転処理をする前のイメージを示す図、第４図は回転処理をした後のイメージを示す図である。第３図で基準方向（Ｙ方向）は予め定められており、イメージは四角形の枠を有しているが、該四角形の長辺は、基準方向から傾いて描かれている。回転軸としての点Ｐ１と別の一点としての点Ｐ２を結ぶ線分Ｌは、該四角形の長辺と平行に図示され、基準方向（Ｙ方向）と線分Ｌとの角度はＡであるから、イメージは基準方向（Ｙ方向）に対し角度Ａ傾いて描かれているといえる。第３図上では、基準方向（Ｙ方向）及び線分Ｌは、一点鎖線で記載されており、この一点鎖線の記載は、イメージの傾きを修正すべき回転量（角度Ａ）の把握を容易にしているものといえるから、基準図形の利便をを示唆している。また、第３図上では、点Ｐ２の最適位置を求めるために通常行われる点Ｐ２の移動の指示は、一点鎖線の線分Ｌの回転の指示と同等と見ることができるから、表示画面上でも基準図形として一点鎖線の線分Ｌの表示を採用すれば、点Ｐ２の移動の指示は、操作者からの回転の指示を意味するものといえる。その際、線分Ｌは基準方向（Ｙ方向）から回転を始めることが普通に考えられる。第４図は、回転角度を確定させた後に、回転処理を行ったイメージを示すものであり、第３図から第４図となることを鑑みれば、線分Ｌに対する指示が終了した後に、イメージを回転して示したこと、即ち、回転角度を決めるための処理とイメージを回転させる処理を独立の処理として、前者の処理の後に後者の処理を行うこと及び、角度Ａ傾いたイメージを、基準方向（Ｙ方向）に向かってその角度が０となる方向に、即ち、一点鎖線の線分Ｌの傾きの方向と逆方向に回転して表示することを示唆しているといえる。
　してみると、引用発明２に引用発明１の基準図形表示手段を採用する際、上記周知事項及び上記引用例２の第３図、第４図が示唆していることを踏まえ、引用発明２の図形表示手段が、「操作者からの回転の指示が終了した場合に、基準図形の回転角度に応じて編集対象の図形を基準図形の回転方向とは逆方向に回転して表示する」構成を備えるようにすることは、当業者は、容易になし得たものである。
　
５．むすび 
　以上のとおり、本願発明は、引用例１，２に記載された発明に基づき当業者が容易に発明することができたものであるから、特許法第２９条第２項の規定により特許を受けることができない。
　したがって、本願は、他の請求項に係る発明について検討するまでもなく、拒絶されるべきものである。 
　よって、結論のとおり審決する。